(57)【要約】      （修正有）【課題】  ブルーレイディスク（ＢＤ）を含む光ディスク装置を備えた記録再生装置の使い勝手を良くする。【解決手段】  リモコン装置の電源スイッチをオンする（Ｓ１）と、正面パネルが開か閉かを検出する（Ｓ２）。正面パネルが閉の場合は、正面パネルに設けられる操作キーによる操作を受け付けるが、パネル開状態で使用される正面パネルの裏面及び正面パネルに設けられる操作キーは無効とする（Ｓ３）。次いで正面パネルが開から閉に移行するかどうかを監視しておき（Ｓ４）、開から閉への移行動作を検出するとＳ５に進む。（Ｓ２で開である場合もＳ５に進む。）Ｓ５においてパネル開状態で使用される正面パネルの裏面及び正面パネルに設けられる操作キーによる操作は受け付けるが、正面パネルに設けられる操作キー無効となる。次いで、Ｓ６において、正面パネルが開から閉へ移行するかどうかを監視しておき、開から閉への移行を検出した場合には、Ｓ３に戻る。【選択図】  図８
2006164430.tif 000002
【特許請求の範囲】
【請求項１】
筐体と、
該筐体内に設けられるとともに該筐体の一面に可搬型の記録媒体を着脱する着脱口を有する少なくとも１つのディスク装置と、
該筐体の一面に前記着脱口を遮蔽する位置に開閉可能に設けられたパネルと、
該パネルに設けられる第１の操作部と、
前記筐体の一面に設けられる第２の操作部と、
前記パネルの開閉を検出する検出部と、
該検出部の検出結果に応じて前記第１の操作部又は前記第２の操作部のいずれかの操作を無効にする制御を行う制御部と
を有する記録再生装置。
【請求項２】
前記ディスク装置のうちの少なくとも１つは使用する記録媒体の片面の記録容量が８．６ギガバイト以上の光ディスクを使用する光ディスク装置であることを特徴とする請求項１に記載の記録再生装置。
【請求項３】
前記制御部は、前記検出部が前記正面パネルの閉状態を検出している間は、前記第２操作部における操作を無効に保持する制御を行うことを特徴とする請求項１又は２に記載の記録再生装置。
【請求項４】
前記制御部は、前記検出部が前記正面パネルの開状態を検出している間は、前記第１操作部における操作を無効に保持する制御を行うことを特徴とする請求項１又は２までのいずれか１項に記載の記録再生装置。
【請求項５】
前記制御部は、前記検出部が前記正面パネルの閉状態から開状態への移行を検出した際に、前記第１操作部における操作を有効から無効に変更する制御を行うことを特徴とする請求項１又は２に記載の記録再生装置。
【請求項６】
前記制御部は、前記検出部が前記正面パネルの開状態から閉状態への移行を検出した際に、前記第２操作部における操作を有効から無効に変更する制御を行うことを特徴とする請求項１又は２に記載の記録再生装置。
【請求項７】
さらに、前記正面パネルの裏面側に設けられた第３の操作部を有しており、
前記制御部は、前記第３の操作部の操作の有効／無効に関して前記第２の操作部の操作の有効／無効に関する制御と同様の制御を行うことを特徴とする請求項１から６までのいずれか１項に記載の記録再生装置。
【請求項８】
前記筐体の一面に、前記第１の光学ディスク装置と前記第２の光学ディスク装置とを象徴する形状を有するとともに、前記第１の光学ディスク装置と前記第２の光学ディスク装置との動作に関する表示を行う表示部が設けられていることを特徴とする請求項１から７までのいずれか１項に記載の記録再生装置。
【請求項９】
筐体と、
該筐体内に設けられた少なくとも１つの電子装置と、
該筐体の一面に開閉可能に設けられるパネルと、
該パネルに設けられる第１の操作部と、
前記筐体の一面に設けられる第２の操作部と、
前記パネルの開閉を検出する検出部と、
該検出部の検出結果に応じて前記第１の操作部又は前記第２の操作部のいずれか一方の操作を無効にする制御を行う制御部と
を有する電子機器。
【請求項１０】
筐体と、該筐体内に設けられた少なくとも１つの電子装置と、前記筐体の一面に開閉可能に設けられるパネルと、該パネルに設けられる第１の操作部と、前記筐体の一面に設けられる第２の操作部とを有する電子機器の制御方法であって、
前記パネルの開閉を検出するステップと、
該検出ステップにおける検出結果に応じて前記パネル閉が検出された際に前記第２の操作部の操作を無効にするステップと
を有することを特徴とする電子機器の制御方法。
【請求項１１】
コンピュータに請求項１０に記載のステップを実行させるためのプログラム。
【発明の詳細な説明】
【技術分野】
【０００１】
本発明は記録再生装置に設けられた操作パネル兼表示パネルにおける操作パネルの制御技術に関する。
【背景技術】
【０００２】
最近の記録再生装置は、マルチメディア時代の要望に応えるために、大容量データの記憶媒体としてＤＶＤ（Digital Versatile Disk）を記録媒体として用いたＤＶＤ装置と大容量かつ安価なハードディスク装置（ＨＤＤ）とを備えているのが一般的である。
【０００３】
ＤＶＤ装置は、波長６５０ｎｍ帯の赤色半導体レーザーを光ディスクのピックアップとして用いている。一般的なＤＶＤの記録容量は４.７ＧＢである。
【０００４】
一方、従来に比べて記録容量を増大させた光ディスクとして、ブルーレイディスク（Blu-ray Disc：登録商標）及びエイチディ・ディ-ブイディ（High Definition ＤＶＤ、以下「ＨＤ  ＤＶＤ」とも称す）が発表されている。以下、ブルーレイディスクを「ＢＤ」と言う。ＢＤの場合は片面単層の記録容量は２３．３ギガバイト（ＧＢ）、２５ＧＢ、２７ＧＢの３種類が規格化されている。ＨＤ  ＤＶＤの場合は片面単層の記録容量が１５ＧＢであるものが発表されており、２０ＧＢの仕様も検討されている。これらの光ディスクの記録容量は、片面２層記録での記録容量が８．５ＧＢであるＤＶＤの記録容量を凌駕しており、ＢＤでは２時間以上に及ぶデジタルハイビジョン放送の番組を１枚のディスクに記録することができる。これらの光ディスクを使用する録画装置は、情報の記録及び再生を行うために波長が４００ｎｍ帯の青色半導体レーザー光を用いる構成となっている。
（例えば、特許文献１参照）。
【０００５】
また、既存のコンパクトディスク（ＣＤ）、ＤＶＤに加えて、ＢＤにも対応するために、長波長（ＣＤ用）と中波長（ＤＶＤ用）に加えて短波長（ＢＤ）の３波長のレーザー光源をその得る光ディスク装置が提案されている（例えば特許文献２参照）。この装置では、上記３種類の波長に対応するピックアップを設け、ドライブを１つにして省スペース化を図っている。
【０００６】
【特許文献１】特開２００４-１９２８０１号公報
【特許文献２】特開２００４-１０３１３５号公報
【発明の開示】
【発明が解決しようとする課題】
【０００７】
しかしながら、上記特許文献２に記載の光ディスク装置では、省スペース化が可能なものの、ディスクの挿入口が１つのみでありディスクも１枚のみが駆動可能なためダビングなどの処理が複雑になりユーザの使い勝手は必ずしも良好ではない。また、２以上のディスク装置を備えた記録再生装置も存在するが、特に、筐体の正面には、表示パネル類や光学ドライブの挿入口、操作ボタン類などがまとめられているため、操作ボタン類を設ける領域が狭くなり操作しにくいという問題があった。
【０００８】
本発明の目的は、ブルーレイディスク（ＢＤ）を含む光ディスク装置を備えた記録再生装置における操作性の向上を目的とする。
【課題を解決するための手段】
【０００９】
本発明の記録再生装置は、特に、ブルーレイディスク（ＢＤ）装置を含み、筐体の一面に可搬型の記録媒体を着脱する着脱口を有する光ディスク装置を備えた記録再生装置において、筐体に前記着脱口を遮蔽する位置に開閉可能なパネルを設け、パネルに設けられた第１の操作部と、前記パネルを開けた際に露出する前記筐体の一面に設けられた第２の操作部とを有する記録再生装置において、前記パネルの開閉を検出する検出部を有し、該検出部が前記パネルの閉状態を検出した際には、前記第２操作部のキー操作を無効にし、前記操作部が前記パネルの開状態を検出した際には、前記第１操作部のキー操作を無効にする制御を行う制御部を有することを特徴とする。これにより、パネルの開閉操作の際に異物が挟まった場合にも、これから操作を行わないと推測される方の操作部の操作キーによる操作を無効にするため、装置の誤操作を防止し確実な操作を可能にする。
【００１０】
本発明の一観点によれば、筐体と、該筐体内に設けられた少なくとも１つの電子装置と、該筐体の一面に開閉可能に設けられるパネルと、該パネルに設けられる第１の操作部と、前記筐体の一面に設けられる第２の操作部と、前記パネルの開閉を検出する検出部と、該検出部の検出結果に応じて前記第１の操作部又は前記第２の操作部のいずれか一方の操作を無効にする制御を行う制御部とを有する電子機器が提供される。
【００１１】
本発明の他の観点によれば、筐体と、該筐体内に設けられた少なくとも１つの電子装置と、前記筐体の一面に開閉可能に設けられるパネルと、該パネルに設けられる第１の操作部と、前記筐体の一面に設けられる第２の操作部とを有する電子機器の制御方法であって、前記パネルの開閉を検出するステップと、該検出ステップにおける検出結果に応じて前記パネル閉が検出された際に前記第２の操作部の操作を無効にするステップとを有することを特徴とする電子機器の制御方法が提供される。また、上記ステップをコンピュータに実行させるためのプログラムも本発明の範疇に入る。
【発明の効果】
【００１２】
本発明の記録再生装置においては、筐体内に設けられ可搬型の記録媒体を着脱する着脱口を有する少なくとも１つのディスク装置を有する記録再生装置において、開閉可能に設けられディスク装置の記録媒体着脱口を遮蔽する位置に設けられる正面パネルの操作部と、パネルを開けた場合に露出する着脱口と同じ面に設けられる操作部とのキー操作を、パネルの開閉を検出することにより有効・無効に制御するため、パネルの開け閉めに伴い異物が挟まるなどの原因によるキー操作に関する誤動作を防止することができる。特に、ＢＤ装置を含む複数の光ディスク装置を備えた記録再生装置の使い勝手を良くすることができる。
【発明を実施するための最良の形態】
【００１３】
本明細書において、光学ディスクは、例えば、再生専用のＣＤ−ＲＯＭ、ＤＶＤ−ＲＯＭ、再生・記録が可能なＣＤ−Ｒ（Ｗ）、ＤＶＤ―Ｒ（ＲＷ）など、及びブルーレイディスク（ＢＤ）、エイチディ・ディ-ブイディ（ＨＤ  ＤＶＤ）を含む。光学ディスク装置は、これらのメディアを駆動することができる駆動装置を指す。
【００１４】
本発明の第１の実施の形態による記録再生装置について図面を参照しつつ説明を行う。図１は、本実施の形態による記録再生装置の外観構成例を示す斜視図であり表面パネルを閉じた状態を示す図である。図２は、図１の斜視図に対応する図であり表面パネルを開いた状態を示す図である。図３（ａ）〜（ｃ）までは、それぞれ、図１に対応する正面図、図２に対応する正面図、図２に対応する上面図（一部を表す）である。（図４は、本実施の形態による記録再生装置の内部に配置されている光学ディスク装置の配置例を示す図である。）図５は、本実施の形態による記録再生装置の内部構成例を示す機能ブロック図である。図６は、本実施の形態による記録再生装置の制御処理等を行うプログラムの構成例を示す図である。図７は、記録再生装置を遠隔操作することができるリモートコントロール装置（以下、「リモコン装置」と称する。）の構成例を示す図である。
【００１５】
図１から図３までに示すように、本実施の形態による記録再生装置Ａは、第１の光学ディスク装置であるＤＶＤ装置３１と、このＤＶＤ装置とは記憶容量などの規格が異なる第２の光学ディスク装置であるＢＤ装置３５とが隣接して配置されるいわゆる２トレイ方式の記録再生装置であり、薄型テレビなどとともに使用する際の統一感を出すために、横置き、縦置きのいずれの場合でもスリムさを強調する外観を有している。この外観は、図４を参照して後述するように２つの光学ドライブ装置３１、３５を横置き時に左右に配置されるようにすることで、筐体の縦方向の厚さが極力薄くなるようにしている。液晶テレビをオープンラックに載せて使用することを想定して、このオープンラック内に横置きする際の薄さが強調される。
【００１６】
加えて、ディスク駆動装置を収容する筐体１は、ハロゲン材の入っていない難燃性プラスチックであるＡＢＳポリカーボネート樹脂を射出成形して形成しており、上面に薄い上板１ａを配置し、この上板１ａを他の筐体外表面よりも深みのある仕上げとすることにより気化器的な強度を維持しつつ高級感とスリム感とを演出している。
【００１７】
図４は、本実施の形態による記録再生装置内における各ディスク装置の配置例を示す図である。図４に示すように、本実施の形態による記録再生装置は、一般的な横置きの配置にした場合に、正面から見て右側にＤＶＤ装置３１が、左側にＢＤ装置３５が配置されるとともに、ＤＶＤ装置３１の下方にＨＤＤ装置３３が配置される。ある程度の厚みを有する光学ディスク装置３１、３５を左右に配置し、薄型化が可能なＨＤＤ装置３３をＤＶＤ装置３１の下方に配置することで筐体１の厚さを薄くすることができる。さらに、ＤＶＤのディスクよりもより微細な加工を行っているためピックアップとディスクとの間の高い位置精度が要求される（すなわち、振動に対して弱い）振動発生源となりうるＨＤＤ装置３３の横方向にＢＤ装置３５を配置し、ＤＶＤ装置３１の下方にＨＤＤ装置３３を配置することにより、ＨＤＤ装置３３に起因する振動の影響を極力小さくすることができる。これらのディスク装置３１、３３、３５は、全て記録・再生が可能であるが、例えば、ＤＶＤ装置が再生専用である場合も含まれる。
【００１８】
図１及び図３（ａ）に示すように、本実施の形態による記録再生装置Ａは、上板１ａが配置された筐体１と、横置き時における正面に設けられた開閉式の正面パネル２５ａを有している。正面パネル２５ａの左右には、それぞれ電源オン/オフ用スイッチ１ｂ及び図７に示すリモートコントロール装置（以下、「リモコン」と称する。）からの赤外線による指令を受けるＲＣ受光部１７と、正面パネル２５ａを開くためのパネル開スイッチ２５ｂと、正面パネル２５ａをロックする正面パネルロック機構２５と、を有している。
【００１９】
正面パネルロック機構２５の詳細な説明は省略するが、通常は正面パネル２５ａをロックしており、リモコンのパネル開スイッチ（図７（ｂ）のトレイ開閉スイッチがこの機能を兼ねている）又はパネル開スイッチ２５ｂをオンすることにより正面パネル２５ａを開方向に押す。
【００２０】
正面パネル２５ａが一旦押されると、正面パネル２５ａの自重により筐体の正面と正面パネル２５ａとの成す角度が９０度程度になるまで開方向に回転移動し、図２に示すように筐体の正面と正面パネル２５ａとの成す角度が９０度程度になった時点で回動が停止する。尚、正面パネル２５ａのロック機構をリモコン装置により解除することにより、正面パネル２５ａをリモコン装置からの操作により開けることができる。
【００２１】
正面パネル２５ａには、表示部４０が設けられている。この表示部４０は、筐体１を横置きにした場合に横方向にある間隔をあけて配置された略円形の第１表示部４１と、第２表示部４３・４５と、第３表示部４７と、が配置されて形成されている。
【００２２】
図２及び図３（ｂ）に示すように、正面パネル２５ａを開いた場合には、筐体１の正面側であって正面パネル２５ａが閉じていた場合の裏面側に、記録再生装置Ａに内蔵されている第１の光ディスク装置であるＤＶＤ装置３１と第２の光ディスク装置であるＢＤ装置３５のトレイの正面部３１ａ、３５ａが現れる。それぞれの光ディスク装置３１、３５に対して、それぞれの光ディスク装置３１、３５を開閉するための開閉スイッチ３１ｃ、３５ｃが設けられている。この開閉スイッチ３１ｃ、３５ｃを押すことにより、それぞれの光ディスク装置３１、３５のそれぞれに対応する図示しないＤＶＤディスク又はＢＤディスクを載せるためのトレイが進退するようになっている。
【００２３】
ＤＶＤ装置３１とＢＤ装置３５とが並んで配置されている領域の下方には、例えばＩＥＥＥ１３９４端子（ＤＶ端子）と、Ｂ-ＣＡＳカード用のスロット２１と、が設けられている。Ｂ-ＣＡＳカードは地上デジタルテレビジョン放送、ＢＳデジタル放送、１１０度ＣＳデジタル放送等の各種放送サービスを受信するために必要なカードであり、デジタル放送の番組等の著作権保護にも利用される。例えば、デジタル放送の無料放送、有料放送、ペイ・パー・ビュー放送、ＮＨＫ、自動表示メッセージ、およびデータ放送の双方向サービス等の放送サービスを利用するためには、必ずＢ-ＣＡＳカード用のスロット２１にＢ-ＣＡＳカードを挿入する必要がある。尚、符号２１ａはＢ-ＣＡＳカード用のスロットに挿入されたＢ-ＣＡＳカードを取り出すための押しボタンである。
【００２４】
さらに、ＩＥＥＥ１３９４端子（ＤＶ端子）と、Ｂ-ＣＡＳカード用のスロット２１との間には、表示部４０と同じような形態であってやや小型の内側表示部４８（第４から第６までの表示部４８ａ〜４８ｃまでが、ある間隔をおいて横方向に配置されている）が設けられている。この内側表示部は表示兼用の選択操作キーとなっており、図示する左側から順番にそれぞれＤＶＤ、ＨＤＤ、ＢＤのそれぞれの動作状態を報知する動作状態報知手段も兼ねている。尚、ＤＶ端子は、記録再生装置Ａの裏面側にも設けられており、一般的にはＤＶカメラからの映像をＨＤＤドライブなどに高速に取り込むインターフェイスとして用いられるが、ユーザにとって使い勝手の良い方の端子を選択して用いることができる。Ｂ-ＣＡＳカードを取り出すための押しボタンや内側表示部は表示兼用の選択操作キーなどのスイッチ類も後述する操作部に含まれるものとする。
【００２５】
さらに、図２及び図３（ｃ）に示すように、正面パネルの裏面２５ｂ側に、図７（ａ）のリモコン装置ＲＣの方向キーと同様の機能を有する方向キーと決定ボタンとを備えた操作部６１ａと、再生動作を開始、停止するためのそれぞれが半円形で合わせて円形となるスイッチであって、円形の外周部に発光領域を有している再生用スイッチ６１ｂと、この再生用スイッチ６１ｂに隣接して設けられ同様の形状を有している録画用スイッチ６１ｃと、が設けられている。後述するように、表示の際の発光色は動作状態に応じて決められている。方向キーと選択キーとによる操作部６１ａは、例えばメニュー画面におけるメニュー項目の移動と決定に用いられる。
【００２６】
本実施の形態においては、上記Ｂ−ＣＡＳカードのボタン２１ａ、内側表示部４８の操作ボタン、方向キーと決定ボタンとからなる操作部６１ａ、再生用スイッチ６１ｂ、録画用スイッチ６１ｃが、制御対象の操作ボタン類に含まれる。
【００２７】
上述のように、それぞれがディスク駆動部を有するＤＶＤ装置とＢＤ装置とを備えた２トレイ方式を採用し、かつ、内蔵のハードディスク装置も備えているため、ＤＶＤのディスク又はＢＤのディスクのそれぞれに関連する起動時間に起因する遅延を極力短くすることができる。２トレイ方式を用いることで、例えば２種類の規格の異なるディスクを規格の一致するディスク装置に入れることにより、異なるディスクの情報読み込み時間を平行して情報読み込みを行わせることにより、短時間でディスク装置の起動処理を行うことができる。すなわち、２ディスクの出し入れ時におけるディスクの情報読み込みに起因する遅延を２ディスクの情報読み込みを並行して行わせることにより低減することができるという利点がある。
【００２８】
また、表示・操作系を、正面パネルと、正面パネルを開けた際の筐体側の面と、正面パネルの裏面とに分散して配置することにより、正面パネルに設けられている表示部を大きなものとすることができ、ユーザの視認性をさらに良くすることができる。特に、本実施の形態による記憶再生装置のように、正面パネルに設けられた３連の大きな円形表示部により、ディスク装置の動作状況とデータの移動方向などをユーザに報知することで、一般的な文字表示の場合に比べて美観を損ねずに、視認性を向上させることができる。
【００２９】
次に、本実施の形態による記録再生装置Ａの内部構成例について図５の全体機能ブロック図と図６及び図７を参照しつつ説明を行う。適宜、図１〜図４までを参照しつつ説明を行う。図５に示すように、本実施の形態による記録再生装置Ａは、全体の制御を行うＣＰＵ３と、各機能を実行する機能ブロック群と、を有している。記録・再生機能を有するブロックとしては、上述のように、ＤＶＤ装置３１とＨＤＤ装置３３とＢＤ装置３５とが備えられている。
【００３０】
これらの各ディスク装置３１、３３、３５は、ディスク駆動制御部３７を介して又は直接に、ＣＰＵ３からの制御命令に基づいて動作する。実際には、図７に示すリモコン装置の各操作ボタン又は上述した記録再生装置Ａ本体側の操作スイッチなどを操作することにより、リモコン装置ＲＣの場合には赤外線信号をＲＣ受光部１７において受信し、操作に応じた信号を受けてＣＰＵ３に伝達する。ＣＰＵ３は受けた信号に基づいて上記操作に基づく動作を行うように、各機能ブロックに対して指令する指令信号を出力する。
【００３１】
例えば、リモコン装置ＲＣの放送選択部７０において地上波デジタル放送選択ボタン７０ｂが押され対象機器選択部においてＢＤディスク選択ボタン７１ｃが押されると、ＢＤディスクドライブ装置３５に入っているＢＤディスクに地上波デジタル放送番組のコンテンツを記録することができる。ＢＤディスクはＤＶＤディスクに比べて大容量のデータを記憶することが可能であるため、例えば２〜３時間以上のＣＳ放送を高画質で記録可能である。
【００３２】
記録の際には、地上波デジタル放送の録画を行う際に、録画エンコーダ／デコーダを含む画像／音声信号処理部５が、例えばＣＳ放送番組からの映像信号／音声信号をＢＤディスクに記録できる形式に変換したり、例えばＢＤ装置３５に記録された信号を表示モニタに表示可能な形式に変換したりする。この際、ＢＤ装置３５の動作状況をＣＰＵ３に送る。これにより、ＣＰＵ３は、各ディスク装置の動作状況を適宜監視して適切な指示を与えることができる。
【００３３】
さらに、本実施の形態による記録再生装置Ａは、ＣＰＵ３と関連付けされ、ＣＰＵ３に後述する種々の処理を実行させるためのプログラムを格納するＲＯＭ７と、プログラムを展開して高速に処理するためのＲＡＭ１１と、アンテナからの放送信号を入力したり、ディスク装置を駆動させた際に得られるコンテンツの信号やＤ映像などを例えば液晶ＴＶなどの表示モニタに出力したり、ＤＶカメラに接続するＩＥＥＥ１３９４端子（ＤＶ端子）やインターネットなどに接続するＬＡＮ端子などを備え各種信号の入出力を制御するインターフェイス部１５と、を備えている。
【００３４】
さらに、前述のＲＣ受光部１７と、Ｂ−ＣＡＳカードスロット２１と、放熱効果を高めるための冷却ファン２３と、正面パネル２５ａを開するための正面パネル駆動部２５であって正面パネルの開閉の状態を検出する図示しない検出部を備える正面パネル駆動部２５と、各種入力操作を受け付ける入力部６１と、を有している。さらに正面パネル駆動部２５に関連して、正面パネルの開閉状態を検出する正面パネル開閉検出部２５ｃを有している。正面パネル開閉検出部２５ｃは、例えば、正面パネルを開けた際の筐体の露出面に設けられている光センサーであって正面パネルの開時に生じる光量の増加を検出する光センサーであっても良いし、正面パネルの裏側又は露出面に設けられている機械的なスイッチであって、開閉に応じて進退するスイッチであっても良い。
【００３５】
加えて、前述のディスク装置駆動制御部３７と、前述の正面パネル２５ａに設けられた表示部４０は、前述のように筐体１を横置きにした場合に横方向にある間隔をあけて配置され、各ディスクの形状を象徴する略円形の第１表示部４１と、第２表示部４３・４５と、第３表示部４７と、を有しており、ＣＰＵ３により表示制御部５１を介して表示の制御が行われる。同様に、上述した第４から第６までの表示部４８ａ〜４８ｃを兼ねる選択スイッチも、上記表示制御部５１を介してＣＰＵ３により表示制御がなされる。さらに各ディスク装置には、ディスクの有無や駆動状態等を検出する検出部３１ｃ、３３ｃ、３５ｃがそれぞれ設けられており、対応する各ディスク装置内における光学メディアの有無や駆動状態等に関する信号が検出部３１ｃ、３３ｃ、３５ｃからディスク駆動制御部３７を介してＣＰＵ３に送られるように構成されている。尚、図５には、後述する本実施の形態の第４変形例で説明するように重力センサーや位置センサーなどを含み記録再生装置の位置（横置き状態か縦置き状態か）を検出する位置検出部２７が記載されている。
【００３６】
図６は、ＲＯＭ７内に格納されるプログラム群の構成例であって、各種ディスクの駆動制御を行うディスク駆動制御プログラムＰ１と、表示部の表示制御を行う表示制御プログラムＰ２と、インターフェイス部１５におけるインターフェイスの切り替え制御や信号の変換等を行うインターフェイス制御プログラムＰ３と、正面パネル２５ａ／ファン２３等の動作の制御を行うパネル／ファン等制御プログラムＰ４と、画像信号／音声信号の信号処理（変換を含む）を行う画像／音声信号処理プログラムＰ５と、を含んで構成される。尚、ここで列挙した各プログラムは例示であり、実際には各プログラムが連動して一連の制御を行うものである。
【００３７】
次に、上記各機能の働きについて説明する。正面パネル２５ａに設けられている表示部４０は、図３（ａ）に示すように、記録再生装置Ａの筐体１を横置きにした場合に横方向にある間隔をあけて配置された略円形の第１表示部４１と、第２表示部４３・４５と、第３表示部４７と、を有している。第１表示部４１と、第２表示部４３・４５と、第３表示部４７は、光ディスク装置Ａの厚さに対して約半分程度の直径を有する比較的大きく見やすい表示部となっており、３連の円形表示部の表示（点灯の有無と点灯色）を確認さえすれば、比較的複雑なＨＤＤドライブ＋２トレイ方式の記録再生装置のディスク装置の現在の動作状況と現在のデータの移動方向とが簡単にわかるという利点を有する。
【００３８】
正面パネルを開いた状態においては、上記第４から第６までの表示部４８ａ〜４８ｃを兼ねる選択スイッチにより選択されたディスク装置３１、３３、３５のいずれかを、再生用スイッチ６１ｂ又は録画用スイッチ６１ｃにより再生状態又は録画状態にすることができる。この際、上記開口領域が動作に応じた色で発光する。これにより、正面パネルを開いた状態においても、ディスク装置の動作状態を知ることができる。例えば、再生用スイッチ６１ｂの外周に形成されたリング状の開口部から対応する再生処理を行っている旨を表示する青色が発光し、録画用スイッチ６１ｃ外周のリング状の開口領域からは記録処理を行っている旨を表示するオレンジ又は赤色が発光する。
【００３９】
本実施の形態による記録再生装置においては、正面パネル２５ａを閉状態にした場合には、正面パネルを開した際に露出する筐体面に設けられている内側表示部４８（第４から第６までの表示部４８ａ〜４８ｃまでが、ある間隔をおいて横方向に配置されている）であって、表示兼用の選択操作キーと、Ｂ-ＣＡＳカードを取り出すための押しボタン２１ａと、ＤＶＤのディスクを取り出すためのボタン３１ｃと、ＢＤディスクを取り出すためのボタン３５ｃと、を含むキー操作が無効になるように制御される。さらに、図２及び図３（ｃ）に示すように、正面パネルの裏面２５ｂ側に、図７（Ａ）のリモコン装置ＲＣの方向キーと同様の機能を有する方向キーと決定ボタンとを備えた操作部６１と、再生動作を開始、停止するためのそれぞれが半円形で合わせて円形となるスイッチ６１ｂであって、円形の外周部に発光領域を有している再生用スイッチ６１ｂと、この再生用スイッチ６１ｂに隣接して設けられ同様の形状を有している録画用スイッチ６１ｃと、が設けられているが、これらの操作キー群も正面パネル２５ａが開から閉に向かう状態及び閉になった状態において無効となるように制御される。
【００４０】
上記操作の流れについて図８のフローチャート図を参照しつつ説明を行う。図８に示すように、まずステップＳ１においてリモコン装置の電源スイッチをオンすると、ステップＳ２において正面パネルが開か閉かを検出する。正面パネルが閉の場合は、ステップＳ３に進み、正面パネルに設けられる操作キーによる操作を受け付けるが、正面パネルの裏面及び正面パネルを開した場合に筐体に露出される面に設けられる操作キーによる操作は無効とする。次いで、ステップＳ４において、正面パネルが開から閉に移行するかどうかを監視しておき、開から閉への移行動作を検出するとステップＳ５に進む。また、ステップＳ２において正面パネルが開である場合にもステップＳ５に進む。ステップＳ５において正面パネルの裏面及び正面パネルを開した場合に筐体に露出される面に設けられる操作キーによる操作は受け付けるが、正面パネルに設けられる操作キーによる操作は無効となる。次いで、ステップＳ６において、正面パネルが開から閉へ移行するかどうかを監視しておき、開から閉への移行を検出した場合には、ステップＳ３に戻る。以下、同様の操作を繰り返す。
【００４１】
以上に説明したように、本実施の形態による記録再生装置においては、正面パネルの開閉の検出に応じて、操作部のうちの操作ができない操作キー又はこれから操作ができなくなると推測される操作キーの操作を無効にする制御を行うため、例えば、正面パネルを閉めた場合に、正面パネルと筐体との間に異物が挟まった場合や、正面パネルを開にする場合に、正面パネルの裏面に異物が置かれた場合などに生じうる操作キー等の誤動作を未然に防止することができる。
【００４２】
尚、本実施の形態においては、正面パネルを例にして説明したが、背面にパネルがある場合、側面にパネルがある場合などにおいても同様に制御すると便利であり、パネルの位置を限定する趣旨ではなく、パネルの位置が異なっていても本発明の範疇に入ることは言うまでもない。
【００４３】
尚、本実施の形態においては、１つのＨＤＤ装置と２つの光学ディスク装置を含む２トレイ方式の記録再生装置を例にして説明したが、正面パネルの設けられている構成の記録再生装置であれば、光学ディスク装置やＨＤＤ装置の有無や個数に関係なく同様の制御を行うことができる。
【産業上の利用可能性】
【００４４】
本発明は、記録再生装置の誤操作の防止技術として利用できる。また、記録再生装置以外のＡＶ電子機器に適用することも可能である。
【図面の簡単な説明】
【００４５】
【図１】本実施の形態による記録再生装置の外観構成例を示す斜視図であり表面パネルを閉じた状態を示す図である。
【図２】図２は、図１の斜視図に対応する図であり表面パネルを開いた状態を示す図である。
【図３】図３（ａ）〜（ｃ）までは、それぞれ、図１に対応する正面図、図２に対応する正面図、図２に対応する上面図（一部を表す）である。
【図４】図４は、本実施の形態による記録再生装置の内部に配置されている光学ディスク装置の配置例を示す図である。
【図５】図５は、本実施の形態による記録再生装置の内部構成例を示す機能ブロック図である。
【図６】図６は、本実施の形態による記録再生装置の制御処理等を行うプログラムの構成例を示す図である。
【図７】図７は、記録再生装置を遠隔操作することができるリモートコントロール装置（以下、「リモコン装置」）の構成例を示す図である。
【図８】操作部のキー操作に関する制御の処理の流れを示すフローチャート図である。
【符号の説明】
【００４６】
Ａ…記録再生装置、３…ＣＰＵ、５…画像／音声信号処理部、７…ＲＯＭ、１１…ＲＡＭ、１５…インターフェイス部、１７…ＲＣ受光部、２１…Ｂ−ＣＡＳカードスロット駆動部、ＲＣ…リモコン装置、２５…正面パネル駆動部、２５ｃ…正面パネル開閉検出部、２７…位置検出部、３１…ＤＶＤ装置、３１c…検出部、３３…ＨＤＤ装置、３３c…検出部、３５…ブルーレイ（ＢＤ）ディスク装置、３５c…検出部、３７…ディスク駆動制御部、４１…ＤＶＤ表示部、４３…ＨＤＤ表示部（ＬＥＤ）、４５…ＨＤＤ表示部（ＬＣＤ）、４７…ＢＤ表示部、５１…表示制御部。
【図１】
2006164430.tif 000003
【図２】
2006164430.tif 000004
【図３】
2006164430.tif 000005
【図４】
2006164430.tif 000006
【図５】
2006164430.tif 000007
【図６】
2006164430.tif 000008
【図７】
2006164430.tif 000009
【図８】
2006164430.tif 000010